【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
所定の波長域における波長λの光に対して第１屈折率を持つ第１部材と、
前記波長λの光に対して第２屈折率を持ち前記第１部材と縞状に交互に配列される第２部材と、を備え、
前記波長λの光に対する第１屈折率と前記波長λの光に対する第２屈折率との屈折率差をΔｎ（λ）とし、前記所定の波長域においてΔｎ（λ）／λの値はほぼ一定であることを特徴とする回折格子。
【請求項２】
前記所定の波長域における最長波長に対する前記Δｎ（λ）／λの値と前記所定の波長域における最短波長に対する前記Δｎ（λ）／λの値との比がほぼ１であることを特徴とする請求項１記載の回折格子。
【請求項３】
前記所定の波長域における前記Δｎ（λ）／λの最小値と前記Δｎ（λ）／λの最大値との比がほぼ１であることを特徴とする請求項１記載の回折格子。
【請求項４】
前記所定の波長域以外の第２の波長域における波長λに対して前記Δｎ（λ）がほぼ０であることを特徴とする請求項１記載の回折格子。
【請求項５】
前記所定の波長域では入射した光を回折させ、また、前記第２の波長域では入射した光を透過させることを特徴とする請求項４記載の回折格子。
【請求項６】
前記第１部材または前記第２部材の少なくとも一方は、前記所定の波長域以外の所定の域外波長域に光吸収を持つことを特徴とする請求項１記載の回折格子。
【請求項７】
前記所定の域外波長域に光吸収を持つ前記第１部材または前記第２部材は、前記所定の域外波長域に光吸収を持つ有機物を含有することを特徴とする請求項６記載の回折格子。
【請求項８】
前記第１部材または前記第２部材の少なくとも一方は、前記所定の波長域及び前記第２の波長域の短波長側の所定の域外波長域または前記所定の波長域及び前記第２波長域の長波長側の所定の域外波長域のいずれか一方に光吸収を持つことを特徴とする請求項４記載の回折格子。
【請求項９】
前記所定の域外波長域に光吸収を持つ前記第１部材または前記第２部材は、前記所定の域外波長域に光吸収を持つ有機物を含有することを特徴とする請求項８記載の回折格子。
【請求項１０】
前記第１部材の屈折率の温度変化と前記第２部材の屈折率の温度変化は前記回折格子の使用温度範囲内でほぼ等しいことを特徴とする請求項１記載の回折格子。
【請求項１１】
前記第１部材及び前記第２部材はガラス転移温度が前記回折格子の使用温度範囲内には少なくとも存在しないことを特徴とする請求項１記載の回折格子。
【請求項１２】
前記有機物を含有させる前記第１部材のベース材料または前記有機物を非含有の前記第１部材の屈折率の温度変化と前記有機物を含有させる前記第２部材のベース材料または前記有機物を非含有の前記第２部材の屈折率の温度変化は前記回折格子の使用温度範囲内でほぼ等しいことを特徴とする請求項７または請求項９記載のいずれか１項記載の回折格子。
【請求項１３】
前記有機物を含有させる前記第１部材のベース材料または前記有機物を非含有の前記第１部材並びに前記有機物を含有させる前記第２部材のベース材料または前記有機物を非含有の前記第２部材は、ガラス転移温度が前記回折格子の使用温度範囲内には少なくとも存在しないことを特徴とする請求項１２記載の回折格子。
【請求項１４】
前記所定の波長域のレーザ光を出射するレーザ光源と、請求項１記載の回折格子と、を備
えたことを特徴とする光ピックアップ装置。
【請求項１５】
前記所定の波長域のレーザ光及び前記第２の波長域のレーザ光を出射するレーザ光源と、請求項４記載の回折格子と、を備えたことを特徴とする光ピックアップ装置。
【請求項１６】
請求項１４または請求項１５のいずれか１項記載の光ピックアップ装置を備えたことを特徴とする光ディスク装置。
【手続補正２】
【補正対象書類名】明細書
【補正対象項目名】００１３
【補正方法】変更
【補正の内容】
【００１３】
請求項２の発明は、請求項１の発明において、所定の波長域における最長波長に対するΔｎ（λ）／λの値と所定の波長域における最短波長に対する前記Δｎ（λ）／λの値との比がほぼ１である回折格子である。
【手続補正３】
【補正対象書類名】明細書
【補正対象項目名】００１４
【補正方法】変更
【補正の内容】
【００１４】
最長波長に対するΔｎ（λ）／λの値と最短波長に対するΔｎ（λ）／λの値との比がほぼ１であれば分光比の変化が光ピックアップ装置のトラッキング制御に影響を及ぼさない。したがって、使用される波長が所定の波長域の中でばらついても分光比は安定しているといえる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
請求項３の発明は、請求項１の発明において、所定の波長域におけるΔｎ（λ）／λの最小値とΔｎ（λ）／λの最大値との比がほぼ１である回折格子である。
【手続補正７】
【補正対象書類名】明細書
【補正対象項目名】００１８
【補正方法】変更
【補正の内容】
【００１８】
Δｎ（λ）／λの最小値とΔｎ（λ）／λの最大値との比は所定の波長域の範囲内での分光比の最大のばらつきに相当する。その値がほぼ１であれば、光ピックアップ装置のトラッキング制御に影響を及ぼさない。したがって、使用される波長が所定の波長域の中でばらついても分光比は安定しているといえる。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
請求項４の発明は、請求項１の発明において、所定の波長域以外の第２の波長域における波長λに対してΔｎ（λ）がほぼ０である回折格子である。
【手続補正１１】
【補正対象書類名】明細書
【補正対象項目名】００２３
【補正方法】変更
【補正の内容】
【００２３】
請求項５の発明は、請求項４の発明において、所定の波長域では入射した光を回折させ、また、第２の波長域では入射した光を透過させる回折格子である。
【手続補正１２】
【補正対象書類名】明細書
【補正対象項目名】００２５
【補正方法】変更
【補正の内容】
【００２５】
請求項６の発明は、請求項１の発明において、第１部材または第２部材の少なくとも一方は、所定の波長域以外の所定の域外波長域に光吸収を持つ回折格子である。
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】変更
【補正の内容】
【００２９】
請求項７の発明は、請求項６の発明において、所定の域外波長域に光吸収を持つ第１部材または前記第２部材は、所定の域外波長域に光吸収を持つ有機物を含有する回折格子である。
【手続補正１６】
【補正対象書類名】明細書
【補正対象項目名】００３１
【補正方法】変更
【補正の内容】
【００３１】
請求項８の発明は、請求項４の発明において、第１部材または第２部材の少なくとも一方は、所定の波長域及び第２の波長域の短波長側の所定の域外波長域または所定の波長域及び第２の波長域の長波長側の所定の域外波長域のいずれか一方に光吸収を持つ回折格子である。
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】変更
【補正の内容】
【００３５】
請求項９の発明は、請求項８の発明において、所定の域外波長域に光吸収を持つ第１部材または第２部材は、所定の域外波長域に光吸収を持つ有機物を含有する回折格子である。
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】削除
【補正の内容】
【手続補正２５】
【補正対象書類名】明細書
【補正対象項目名】００４２
【補正方法】削除
【補正の内容】
【手続補正２６】
【補正対象書類名】明細書
【補正対象項目名】００４３
【補正方法】変更
【補正の内容】
【００４３】
請求項１０の発明は、請求項１の発明において、第１部材の屈折率の温度変化と第２部材の屈折率の温度変化は回折格子の使用温度範囲内でほぼ等しい回折格子である。
【手続補正２７】
【補正対象書類名】明細書
【補正対象項目名】００４５
【補正方法】変更
【補正の内容】
【００４５】
請求項１１の発明は、請求項１０の発明において、第１部材及び第２部材はガラス転移温度が回折格子の使用温度範囲内には存在しない回折格子である。
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】変更
【補正の内容】
【００４９】
請求項１２の発明は、請求項７または請求項９の発明において、有機物を含有させる第１部材のベース材料または有機物を非含有の第１部材の屈折率の温度変化と有機物を含有させる第２部材のベース材料または有機物を非含有の第２部材の屈折率の温度変化は回折格子の使用温度範囲内でほぼ等しい回折格子である。
【手続補正３１】
【補正対象書類名】明細書
【補正対象項目名】００５１
【補正方法】変更
【補正の内容】
【００５１】
請求項１３の発明は、請求項１２の発明において、有機物を含有させる第１部材のベース材料または有機物を非含有の第１部材並びに有機物を含有させる第２部材のベース材料または有機物を非含有の第２部材は、ガラス転移温度が回折格子の使用温度範囲内には少なくとも存在しない回折格子である。
【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】
【手続補正３４】
【補正対象書類名】明細書
【補正対象項目名】００５５
【補正方法】変更
【補正の内容】
【００５５】
請求項１４の発明は、所定の波長域のレーザ光を出射するレーザ光源と、請求項１の発明の回折格子と、を備えた光ピックアップ装置である。
【手続補正３５】
【補正対象書類名】明細書
【補正対象項目名】００５７
【補正方法】削除
【補正の内容】
【手続補正３６】
【補正対象書類名】明細書
【補正対象項目名】００５８
【補正方法】削除
【補正の内容】
【手続補正３７】
【補正対象書類名】明細書
【補正対象項目名】００５９
【補正方法】変更
【補正の内容】
【００５９】
請求項１５の発明は、所定の波長域のレーザ光及び第２の波長域のレーザ光を出射するレーザ光源と、請求項４の発明の回折格子と、を備えた光ピックアップ装置である。
【手続補正３８】
【補正対象書類名】明細書
【補正対象項目名】００６１
【補正方法】削除
【補正の内容】
【手続補正３９】
【補正対象書類名】明細書
【補正対象項目名】００６２
【補正方法】削除
【補正の内容】
【手続補正４０】
【補正対象書類名】明細書
【補正対象項目名】００６３
【補正方法】変更
【補正の内容】
【００６３】
請求項１６の発明は、請求項１４または請求項１５の発明の光ピックアップ装置を備えた光ディスク装置である。
【手続補正４１】
【補正対象書類名】明細書
【補正対象項目名】００６５
【補正方法】削除
【補正の内容】
【手続補正４２】
【補正対象書類名】明細書
【補正対象項目名】００６６
【補正方法】削除
【補正の内容】
【手続補正４３】
【補正対象書類名】明細書
【補正対象項目名】００６７
【補正方法】削除
【補正の内容】
【手続補正４４】
【補正対象書類名】明細書
【補正対象項目名】００６８
【補正方法】削除
【補正の内容】